(57)【要約】【課題】回路構成の簡易化を図ることが可能なビデオ信号復調回路を提供する。【解決手段】ビデオ信号復調回路１００の過変調検出回路は、中間周波数ビデオ信号の変調度が１００％を超える過変調であるか否かを判断し、変調度が過変調ではないと判断した場合には、出力回路に中間周波数ビデオ信号をその位相を維持したまま出力させ、一方、変調度が過変調であると判断した場合には、出力回路に中間周波数ビデオ信号の位相を反転した信号を出力させる。【選択図】図１
2010093625.tif 000002
【特許請求の範囲】
【請求項１】
入力端子と、
出力端子と、
制御電圧に応じて、第１の発振信号を出力するとともに前記第１の発振信号に対して位相が９０°異なる第２の発振信号を出力する電圧制御発振器と、
前記入力端子を介して入力された中間周波数ビデオ信号と前記第１の発振信号とを混合し、得られた信号を復調ビデオ信号として前記出力端子に出力する第１のミキサ回路と、
前記入力端子を介して入力された前記中間周波数ビデオ信号をその位相を維持したまま出力し、または、前記中間周波数ビデオ信号の位相を反転した信号を出力する出力回路と、
前記出力回路から出力された信号と前記第２の発振信号とを混合し、得られた信号を出力する第２のミキサ回路と、
前記第２のミキサ回路が出力した信号をフィルタリングし、得られた信号を前記制御電圧として前記電圧制御発振器に出力するローパスフィルタと、
前記中間周波数ビデオ信号の変調度が１００％を超える過変調であるか否かを判断し、前記変調度が過変調ではないと判断した場合には、前記出力回路に前記中間周波数ビデオ信号をその位相を維持したまま出力させ、一方、前記変調度が過変調であると判断した場合には、前記出力回路に前記中間周波数ビデオ信号の位相を反転した信号を出力させる過変調検出回路と、を備える
ことを特徴とするビデオ信号復調回路。
【請求項２】
前記過変調検出回路は、第１の基準電圧と前記復調ビデオ信号の電圧とを比較し、前記第１の基準電圧よりも前記復調ビデオ信号の電圧が高い場合には、前記中間周波数ビデオ信号の変調度が過変調であると判断する
ことを特徴とする請求項１に記載のビデオ信号復調回路。
【請求項３】
前記出力回路は、
前記入力端子を介して入力された中間周波数ビデオ信号を、その位相を維持したまま出力するバッファ回路と、
前記入力端子を介して入力された中間周波数ビデオ信号の位相を反転した信号を出力する位相反転回路と、を有し、
前記過変調検出回路が前記変調度は過変調ではないと判断した場合には、前記バッファ回路から出力された信号を前記第２のミキサ回路に出力し、
一方、前記過変調検出回路が前記変調度は過変調であると判断した場合には、前記位相反転回路から出力された信号を前記第２のミキサ回路に出力する
ことを特徴とする請求項１または２に記載のビデオ信号復調回路。
【請求項４】
前記過変調検出回路は、
前記復調ビデオ信号の電圧が、前記第１の基準電圧よりも高い第２の基準電圧を超えた場合には、前記出力回路に前記中間周波数ビデオ信号をその位相を維持したまま出力させる
ことを特徴とする請求項２に記載のビデオ信号復調回路。
【請求項５】
前記過変調検出回路は、
前記復調ビデオ信号の電圧が、前記第２の基準電圧を超えた後前記第１の基準電圧よりも低い第３の基準電圧以下になるまで、前記出力回路に前記中間周波数ビデオ信号をその位相を維持したまま出力させる
ことを特徴とする請求項４に記載のビデオ信号復調回路。
【発明の詳細な説明】
【技術分野】
【０００１】
本発明は、中間周波数ビデオ信号から復調ビデオ信号を復調するビデオ信号復調回路に関する。
【背景技術】
【０００２】
テレビジョン受信機は、目的とする放送局から受信した無線周波数のテレビジョン信号を所定の中間周波数ビデオ信号（ＶＩＦ：Ｖｉｄｅｏ  Ｉｎｔｅｒｍｅｄｉａｔｅ  Ｆｒｅｑｕｅｎｃｙ）にダウンコンバートする。そして、従来のビデオ信号復調回路は、例えば、中間周波数ビデオ信号から、輝度情報等を含む復調ビデオ信号を復調する。
【０００３】
ここで、上記従来のビデオ信号復調回路（映像検波回路）には、中間周波数ビデオ信号ＶＩＦに基づいて、中間周波数ビデオ信号ＶＩＦを検波するための信号を再生するＰＬＬ回路を備えるものがある（例えば、特許文献１参照。）。このビデオ信号復調回路は、中間周波数ビデオ信号ＶＩＦの変調度が過変調になった場合において所望の復調ビデオ信号を出力するために、該ＰＬＬ回路内のミキサ回路（検波器）や位相器の出力等を切り換える。
【０００４】
すなわち、該ＰＬＬ回路は、中間周波数ビデオ信号の変調度に応じて、該ミキサ回路の出力や該位相器の出力を切り換えるための回路構成をさらに有する。
【０００５】
したがって、該ＰＬＬ回路の回路構成が非常に複雑になるという問題があった。
【特許文献１】特開２００７−３３６３２８号公報
【発明の開示】
【発明が解決しようとする課題】
【０００６】
本発明は、回路構成の簡易化を図ることが可能なビデオ信号復調回路を提供することを目的とする。
【課題を解決するための手段】
【０００７】
本発明の一態様に係るビデオ信号復調回路は、
入力端子と、
出力端子と、
制御電圧に応じて、第１の発振信号を出力するとともに前記第１の発振信号に対して位相が９０°異なる第２の発振信号を出力する電圧制御発振器と、
前記入力端子を介して入力された中間周波数ビデオ信号と前記第１の発振信号とを混合し、得られた信号を復調ビデオ信号として前記出力端子に出力する第１のミキサ回路と、
前記入力端子を介して入力された前記中間周波数ビデオ信号をその位相を維持したまま出力し、または、前記中間周波数ビデオ信号の位相を反転した信号を出力する出力回路と、
前記出力回路から出力された信号と前記第２の発振信号とを混合し、得られた信号を出力する第２のミキサ回路と、
前記第２のミキサ回路が出力した信号をフィルタリングし、得られた信号を前記制御電圧として前記電圧制御発振器に出力するローパスフィルタと、
前記中間周波数ビデオ信号の変調度が１００％を超える過変調であるか否かを判断し、前記変調度が過変調ではないと判断した場合には、前記出力回路に前記中間周波数ビデオ信号をその位相を維持したまま出力させ、一方、前記変調度が過変調であると判断した場合には、前記出力回路に前記中間周波数ビデオ信号の位相を反転した信号を出力させる過変調検出回路と、を備える
ことを特徴とする。
【発明の効果】
【０００８】
本発明のビデオ信号復調回路によれば、回路構成の簡易化を図ることができる。
【発明を実施するための最良の形態】
【０００９】
以下、本発明に係る各実施例について図面に基づいて説明する。
【実施例１】
【００１０】
図１は、本発明の一態様である実施例１に係るビデオ信号復調回路１００の要部の構成を示す図である。また、図２は、図１に示すビデオ信号復調回路１００の過変調検出回路４の構成の一例を示す図である。  
図１に示すように、ビデオ信号復調回路１００は、入力端子１００ａと、出力端子１００ｂと、ＰＬＬ回路１と、第１のミキサ回路（復調器）２と、出力回路３と、過変調検出回路４と、を備える。
【００１１】
ＰＬＬ回路１は、電圧制御発振器（ＶＣＯ：Ｖｏｌｔａｇｅ  Ｃｏｎｔｒｏｌｌｅｄ  Ｏｓｃｉｌｌａｔｏｒ）１ａと、第２のミキサ回路（位相検波器）１ｂと、ローパスフィルタ１ｃと、を有する。
【００１２】
ＰＬＬ回路１の電圧制御発振器１ａは、制御電圧Ｓｖに応じて、第１の発振信号ＳＶＣＯ１を出力するとともにこの第１の発振信号ＳＶＣＯ１に対して位相が９０°異なる第２の発振信号ＳＶＣＯ２を出力するようになっている。
【００１３】
また、第１のミキサ回路（復調器）２は、入力端子１００ａを介して入力された中間周波数ビデオ信号ＶＩＦと第１の発振信号ＳＶＣＯ１とを混合し、得られた信号を復調ビデオ信号Ｓｄとして出力端子１００ｂに出力するようになっている。
【００１４】
なお、この第１のミキサ回路２と電圧制御発振器１ａとの間に、ＰＬＬ回路１内の信号処理に起因した第１の発振信号ＳＶＣＯ１の位相ずれを補償する位相補償回路（図示せず）が設けられていてもよい。
【００１５】
また、ＰＬＬ回路１の第２のミキサ回路（位相検波器）１ｂは、出力回路３から出力された信号Ｓ１と第２の発振信号ＳＶＣＯ２とを混合し、得られた信号Ｓ２を出力するようになっている。
【００１６】
また、ＰＬＬ回路１のローパスフィルタ１ｃは、第２のミキサ回路１ｂが出力した信号Ｓ２をフィルタリングし、得られた信号を該制御電圧Ｓｖとして電圧制御発振器１ａに出力するようになっている。
【００１７】
出力回路３は、入力端子１００ａを介して入力された中間周波数ビデオ信号ＶＩＦをその位相（極性）を維持したまま出力し、または、該中間周波数ビデオ信号ＶＩＦの位相（極性）を反転した信号を出力するようになっている。
【００１８】
過変調検出回路４は、中間周波数ビデオ信号ＶＩＦの変調度が１００％を超える過変調であるか否かを判断するようになっている。この変調度は、復調ビデオ信号Ｓｄの電圧が高くなる方向に増加する。また、この変調度は、中間周波数ビデオ信号ＶＩＦの振幅が０になるとき、１００％になる。上述のように、変調度が１００％を超える状態を過変調という。
【００１９】
この過変調検出回路４は、例えば、第１の基準電圧Ｖｒｅｆ１と復調ビデオ信号Ｓｄの電圧とを比較し、第１の基準電圧Ｖｒｅｆ１よりも復調ビデオ信号Ｓｄの電圧が高い場合には、中間周波数ビデオ信号ＶＩＦの変調度が過変調であると判断する。
【００２０】
なお、上述の第１の基準電圧Ｖｒｅｆ１は、中間周波数ビデオ信号ＶＩＦの変調度が１００％である場合に第１のミキサ回路２から出力される復調ビデオ信号Ｓｄの電圧と、等しくなるように設定されている。
【００２１】
そして、過変調検出回路４は、該変調度が過変調ではないと判断した場合には、制御信号Ｓｃにより、出力回路３に中間周波数ビデオ信号ＶＩＦをその位相を維持したまま出力させるようになっている。
【００２２】
一方、過変調検出回路４は、該変調度が過変調であると判断した場合には、制御信号Ｓｃにより、出力回路３に中間周波数ビデオ信号ＶＩＦの位相を反転した信号を出力させるようになっている。
【００２３】
この過変調検出回路４は、例えば、図２に示すように、基準電圧を出力する電源４ａと、この基準電圧と復調ビデオ信号Ｓｄの電圧とを比較し、この比較結果に応じて制御信号Ｓｃを出力するようになっている。
【００２４】
なお、この電源４ａは、既述の第１の基準電圧Ｖｒｅｆ１や、後述（実施例２）の第２、第３の基準電圧Ｖｒｅｆ２、Ｖｒｅｆ３を出力することができるようになっている。
【００２５】
ここで、図１に示すように、出力回路３は、バッファ回路３ａと、位相反転回路３ｂと、スイッチ回路３ｃと、を有する。
【００２６】
バッファ回路３ａは、入力端子１００ａを介して入力された中間周波数ビデオ信号ＶＩＦを、その位相を維持したまま出力するようになっている。
【００２７】
位相反転回路３ｂは、入力端子１００ａを介して入力された中間周波数ビデオ信号ＶＩＦの位相を反転した信号を出力するようになっている。
【００２８】
なお、バッファ回路３ａおよび位相反転回路３ｂにおける信号の遅延は等しくなるように設定されている。
【００２９】
スイッチ回路３ｃは、過変調検出回路４から出力される制御信号Ｓｃに応じて、バッファ回路３ａの出力と位相反転回路３ｂの出力とを切り換えて、第２のミキサ回路１ｂに出力するようになっている。
【００３０】
すなわち、このスイッチ回路３ｃは、過変調検出回路４が該変調度は過変調ではないと判断した場合には、バッファ回路３ａから出力された信号Ｓ１を第２のミキサ回路１ｂに出力するようになっている。一方、このスイッチ回路３ｃは、過変調検出回路４が該変調度は過変調であると判断した場合には、位相反転回路３ｂから出力された信号Ｓ１を第２のミキサ回路１ｂに出力するようになっている。
【００３１】
次に、以上のような構成を有するビデオ信号復調回路１００の動作の一例について説明する。
【００３２】
図３は、実施例１のビデオ信号復調回路１００の回路構成から出力される各信号の電圧波形と位相との関係を示す波形図である。
【００３３】
図３に示すように、有効表示期間において、復調ビデオ信号Ｓｄの電圧が第１の基準電圧Ｖｒｅｆ１以下である場合（〜時間ｔ１）、過変調検出回路４は、変調度が過変調ではないと判断する。これにより、過変調検出回路４は、“Ｌ（Ｌｏｗ）”レベルの制御信号Ｓｃを出力する。出力回路３は、この制御信号Ｓｃを受けて、中間周波数ビデオ信号ＶＩＦをその位相を維持したまま出力する（Ｓ１）。
【００３４】
したがって、ＰＬＬ回路１は、中間周波数ビデオ信号ＶＩＦと位相が等しい信号Ｓ１に位相が同期した第１の発振信号ＳＶＣＯ１を、第１のミキサ回路２に出力する。これにより、変調度に応じて復調ビデオ信号Ｓｄの振幅（電圧）が増加することになる。
【００３５】
すなわち、第１のミキサ回路２は、正常変調時（〜時間ｔ１）、期待される復調ビデオ信号と等しい復調ビデオ信号Ｓｄを出力する。
【００３６】
次に、有効表示期間において、復調ビデオ信号Ｓｄの電圧が第１の基準電圧Ｖｒｅｆ１を超える場合（時間ｔ１〜時間ｔ２、時間ｔ３〜時間ｔ４）、過変調検出回路４は、変調度が過変調であると判断する。これにより、過変調検出回路４は、“Ｈ（Ｈｉｇｈ）”レベルの制御信号Ｓｃを出力する。出力回路３は、この制御信号Ｓｃを受けて、中間周波数ビデオ信号ＶＩＦの位相を反転した信号を出力する（Ｓ１）。
【００３７】
したがって、ＰＬＬ回路１は、中間周波数ビデオ信号ＶＩＦの位相を反転したが信号Ｓ１に位相が同期した第１の発振信号ＳＶＣＯ１を、第１のミキサ回路２に出力する。すなわち、ＰＬＬ回路１は正常変調時と同じ位相同期状態を保持し、第１のミキサ回路２に供給される第１の発振信号ＳＶＣＯ１の位相は変化しない。
【００３８】
これにより、過変調時であっても、第１のミキサ回路２から出力される復調ビデオ信号Ｓｄの位相（極性）が反転せず、変調度に応じて復調ビデオ信号Ｓｄの振幅（電圧）が増加することになる。
【００３９】
すなわち、第１のミキサ回路２は、過変調時（時間ｔ１〜時間ｔ２、時間ｔ３〜時間ｔ４）、期待される復調ビデオ信号と等しい復調ビデオ信号Ｓｄを出力する。
【００４０】
なお、過変調検出回路４は、同期期間（例えば、時間ｔ２〜時間ｔ３）において、“Ｌ”レベルの制御信号Ｓｃを出力する。すなわち、同期期間においては、出力回路３は、中間周波数ビデオ信号ＶＩＦをその位相（極性）を維持したまま出力する（Ｓ１）。
【００４１】
このように、既述の従来技術と異なり、ビデオ信号復調回路１００は、過変調が検出された場合に、ＰＬＬ回路１内の回路構成切り換えずに、ＰＬＬ回路１に入力される中間周波数ビデオ信号の位相（極性）を反転させる。したがって、ＰＬＬ回路１の動作の高速化を図ることができる。
【００４２】
また、既述のように、ビデオ信号復調回路１００は、一般的なＰＬＬ回路１内の回路構成を用いることができる。すなわち、ビデオ信号復調回路１００は、既述の従来技術と比較して、回路構成が複雑にならない。
【００４３】
以上のように、本実施例に係るビデオ信号復調回路によれば、回路構成の簡易化を図ることができる。
【実施例２】
【００４４】
本実施例２では、実施例１のビデオ信号復調回路１００の過変調検出回路４が、正常変調状態であるにも拘わらず過変調を誤って検出した場合に、正常な動作状態に移行する動作の一例について述べる。
【００４５】
図４は、本発明の一態様である実施例２に係るビデオ信号復調回路１００の復調ビデオ信号Ｓｄと制御信号Ｓｃの電圧波形を示す波形図である。
【００４６】
例えば、正常変調状態において、過変調検出回路４の誤検出により、出力回路３が中間周波数ビデオ信号ＶＩＦの位相を反転した信号を出力すると、第１のミキサ回路２は復調ビデオ信号Ｓｄの極性を反転して出力することになる。これにより、第１のミキサ回路２から出力される復調ビデオ信号Ｓｄの電圧が第１の基準電圧Ｖｒｅｆ１を大きく超えることになる（図４、時間ｔ５〜）。
【００４７】
そこで、本実施例２では、第１の基準電圧Ｖｒｅｆよりも高い第２の基準電圧Ｖｒｅｆ２を設定する。過変調検出回路４は、この第２の基準電圧Ｖｒｅｆ２と復調ビデオ信号Ｓｄの電圧とを比較し、復調ビデオ信号Ｓｄの電圧が第２の基準電圧Ｖｒｅｆ２を超えている場合には、過変調を誤って検出したと判断する。
【００４８】
これにより、過変調検出回路４は、正常変調状態であるにも拘わらず、過変調を誤って検出したことを判断することができる。そして、過変調検出回路４は、誤検出したと判断した場合には、強制的に、出力回路３に中間周波数ビデオ信号ＶＩＦをその位相を維持したまま出力させる。これにより、正常変調時に過変調検出回路４が誤って過変調を検出した場合でも、ビデオ信号復調回路１００は所望の復調ビデオ信号Ｓｄを出力することができる。
【００４９】
ここで、例えば、図４に示すように、ビデオ信号復調回路１００の過変調検出回路４が、正常変調状態にも拘わらず、過変調を誤って検出したとする（〜時間ｔ５）。
【００５０】
その後、過変調検出回路４は、復調ビデオ信号Ｓｄの電圧が、第２の基準電圧Ｖｒｅｆ２を超えた場合には、誤検出したと判断し、“Ｌ”レベルの制御信号Ｓｃを出力する（時間ｔ５〜）。この制御信号Ｓｃを受けた出力回路３は、中間周波数ビデオ信号ＶＩＦをその位相を維持したまま出力する。
【００５１】
これにより、第１の発振信号ＶＳＣＯ１の位相が反転し、第１のミキサ回路２から出力される復調ビデオ信号Ｓｄが所望の状態になる。
【００５２】
なお、過変調検出回路４は、例えば、復調ビデオ信号Ｓｄの電圧が第１の基準電圧Ｖｒｅｆ１よりも低い第３の基準電圧Ｖｒｅｆ３以下になるまで、出力回路３に中間周波数ビデオ信号ＶＩＦをその位相を維持したまま出力させる（時間ｔ５〜時間ｔ６）。
【００５３】
これにより、ビデオ信号復調回路１００は、より確実に、正常な動作状態に適切に移行することができる。
【００５４】
なお、時間ｔ６以降は、ビデオ信号復調回路１００は、通常動作に戻り、実施例１と同様に動作する。
【００５５】
以上のように、本実施例に係るビデオ信号復調回路によれば、実施例１と同様に、回路構成の簡易化を図ることができる。
【００５６】
さらに、ビデオ信号復調回路は、過変調検出回路が過変調を誤検出することにより誤動作した場合でも、正常な動作状態に適切に移行することができる。
【実施例３】
【００５７】
実施例１では、出力回路にスイッチ回路が設けられた構成について述べた。
【００５８】
しかし、このスイッチ回路を省略して、出力回路のバッファ回路３ａの出力と位相反転回路３ｂの出力とを過変調検出回路により直接制御するようにしても、同様の動作は可能である。
【００５９】
そこで、実施例３では、スイッチ回路を省略した構成について述べる。
【００６０】
図５は、本発明の一態様である実施例３に係るビデオ信号復調回路２００の要部の構成を示す図である。  
図５に示すように、ビデオ信号復調回路２００は、入力端子１００ａと、出力端子１００ｂと、ＰＬＬ回路１と、第１のミキサ回路（復調器）２と、出力回路３と、過変調検出回路４と、を備える。なお、ビデオ信号復調回路２００の出力回路３以外の構成は、実施例１のビデオ信号復調回路１００と同様である。
【００６１】
出力回路３は、実施例１と同様に、入力端子１００ａを介して入力された中間周波数ビデオ信号ＶＩＦをその位相（極性）を維持したまま出力し、または、該中間周波数ビデオ信号ＶＩＦの位相（極性）を反転した信号を出力するようになっている。
【００６２】
過変調検出回路４は、実施例１と同様に、中間周波数ビデオ信号ＶＩＦの変調度が１００％を超える過変調であるか否かを判断するようになっている。
【００６３】
この過変調検出回路４は、例えば、第１の基準電圧Ｖｒｅｆ１と復調ビデオ信号Ｓｄの電圧とを比較し、第１の基準電圧Ｖｒｅｆ１よりも復調ビデオ信号Ｓｄの電圧が高い場合には、中間周波数ビデオ信号ＶＩＦの変調度が過変調であると判断する。
【００６４】
なお、上述の第１の基準電圧Ｖｒｅｆ１は、中間周波数ビデオ信号ＶＩＦの変調度が１００％である場合に第１のミキサ回路２から出力される復調ビデオ信号Ｓｄの電圧と、等しくなるように設定されている。
【００６５】
そして、実施例１と同様に、過変調検出回路４は、該変調度が過変調ではないと判断した場合には、制御信号Ｓｃにより、出力回路３に中間周波数ビデオ信号ＶＩＦをその位相を維持したまま出力させるようになっている。
【００６６】
一方、実施例１と同様に、過変調検出回路４は、該変調度が過変調であると判断した場合には、制御信号Ｓｃにより、出力回路３に中間周波数ビデオ信号ＶＩＦの位相を反転した信号を出力させるようになっている。
【００６７】
ここで、図５に示すように、出力回路３は、バッファ回路３ａと、位相反転回路３ｂと、を有する。
【００６８】
バッファ回路３ａは、入力端子１００ａを介して入力された中間周波数ビデオ信号ＶＩＦを、その位相を維持したまま出力するようになっている。
【００６９】
位相反転回路３ｂは、入力端子１００ａを介して入力された中間周波数ビデオ信号ＶＩＦの位相を反転した信号を出力するようになっている。
【００７０】
なお、バッファ回路３ａおよび位相反転回路３ｂにおける信号の遅延は等しくなるように設定されている。
【００７１】
バッファ回路３ａ、位相反転回路３ｂは、過変調検出回路４から出力される制御信号Ｓｃにより制御されるようになっている。この制御信号Ｓｃに応じて、バッファ回路３ａの出力と位相反転回路３ｂの出力とが切り換えられて、第２のミキサ回路１ｂに出力されるようになっている。
【００７２】
すなわち、過変調検出回路４が該変調度は過変調ではないと判断した場合には、バッファ回路３ａは、信号Ｓ１を第２のミキサ回路１ｂに出力するようになっている。一方、過変調検出回路４が該変調度は過変調であると判断した場合には、位相反転回路３ｂは、信号Ｓ１を第２のミキサ回路１ｂに出力するようになっている。
【００７３】
以上のような構成を有するビデオ信号復調回路２００の動作は、実施例１と同様である。
【００７４】
すなわち、実施例１と同様に、ビデオ信号復調回路２００は、過変調が検出された場合に、ＰＬＬ回路１内の回路構成切り換えずに、ＰＬＬ回路１に入力される中間周波数ビデオ信号の位相（極性）を反転させる。したがって、ＰＬＬ回路１の動作の高速化を図ることができる。
【００７５】
また、既述のように、ビデオ信号復調回路２００は、一般的なＰＬＬ回路１内の回路構成を用いることができる。すなわち、ビデオ信号復調回路２００は、既述の従来技術と比較して、回路構成が複雑にならない。
【００７６】
以上のように、本実施例に係るビデオ信号復調回路によれば、実施例１と同様に、回路構成の簡易化を図ることができる。
【図面の簡単な説明】
【００７７】
【図１】本発明の一態様である実施例１に係るビデオ信号復調回路１００の要部の構成を示す図である。
【図２】図１に示すビデオ信号復調回路１００の過変調検出回路４の構成の一例を示す図である。
【図３】実施例１のビデオ信号復調回路１００の回路構成から出力される各信号の電圧波形と位相との関係を示す波形図である。
【図４】本発明の一態様である実施例２に係るビデオ信号復調回路１００の復調ビデオ信号Ｓｄと制御信号Ｓｃの電圧波形を示す波形図である。
【図５】本発明の一態様である実施例３に係るビデオ信号復調回路２００の要部の構成を示す図である。
【符号の説明】
【００７８】
１  ＰＬＬ回路
１ａ  電圧制御発振器（ＶＣＯ）
１ｂ  第２のミキサ回路（位相検波器）
１ｃ  ローパスフィルタ
２  第１のミキサ回路（復調器）
３  出力回路
３ａ  バッファ回路
３ｂ  位相反転回路
３ｃ  スイッチ回路
４  過変調検出回路
４ａ  電源
４ｂ  比較回路
１００  ビデオ信号復調回路
１００ａ 入力端子
１００ｂ 出力端子
Ｓ１、Ｓ２  信号
Ｓｄ  復調ビデオ信号
Ｓｃ  制御信号
Ｓｖ  制御電圧
ＳＶＣＯ１  第１の発振信号
ＳＶＣＯ２  第２の発振信号
ＶＩＦ  中間周波数ビデオ信号
Ｖｒｅｆ１  第１の基準電圧
Ｖｒｅｆ２  第２の基準電圧
Ｖｒｅｆ３  第３の基準電圧
【図１】
2010093625.tif 000003
【図２】
2010093625.tif 000004
【図３】
2010093625.tif 000005
【図４】
2010093625.tif 000006
【図５】
2010093625.tif 000007